(57)【要約】      （修正有）【課題】蝶番により中央部で二つに折りたたむことが可能であり、コンパクトで軽量化も達成できて、持ち運びが容易となり、正四角形状の枠体の下面四隅部に、それぞれ脱着自在あるいは折りたたみ自在に４本の脚部を取り付ければ、競技者の姿勢を正しく楽に保つことができ、場合によりテーブルとしても使用できる正四角形状のカロムゲーム盤の提供。【解決手段】この発明の正四角形状のカロムゲーム盤は、蝶番により中央部分で二つに折りたたむことができ、枠体の下面四隅部に脱着自在又は及び折りたたみが可能な脚部を取り付ければテーブルとしての使用も可能にした、コンパクトで軽量化な、容易に持ち運びができるゲーム盤を特徴としている。【選択図】図１
2010240199.tif 000002
【特許請求の範囲】
【請求項１】
・中央部で二つ折りが可能なように蝶番で連結した正四角形の枠体と、
・枠体の内周部分に設けた溝部に上から下にかけて順にはめ込む、いずれも長方形状をした透明板、ゲ−ム盤面、中板及び底板と、
・前記透明板、ゲ−ム盤面及び中板の枠体隅部に対応したそれぞれの角部に、駒の直径よりも大寸法に形成したポケット用切欠きと、
・前記透明板、ゲ−ム盤面、中板及び底板をはめ込んだ枠体を正四角形状に展開したカロムゲ−ム盤。
【請求項２】
・中央部で二つ折りが可能なように蝶番で連結した正四角形の枠体と、
・枠体の内周部分に設けた溝部に上から下にかけて順にはめ込む、いずれも長方形状をした透明板、ゲ−ム盤面及び底板と、
・前記透明板、ゲ−ム盤面の枠体隅部に対応したそれぞれの角部に、駒の直径よりも大寸法に形成したポケット用切欠きと、
・長方形状の底板の角部に略Ｌ字形をした枠体をそれぞれ取り付け、この枠体により前記ゲ−ム盤面以下の部分にポケット用切欠きのための空間部を形成するとともに、ゲ−ム盤面と底板との間のスペースを確保し、
・正四角形状に展開した枠体の下面隅部に、それぞれ脱着自在あるいは折りたたみ自在に取り付けた４本の脚部とからなるカロムゲ−ム盤。
【請求項３】
・中央部で二つ折りが可能なように蝶番で連結した正四角形の枠体と、
・この枠体の全周下面と内周面に連なって断面が逆Ｌ字形に設けた切欠きと、
・ポケット用切欠きをそれぞれの角部分に設けた長方形状の透明板、透明板と同形状のゲ−ム盤面及び中板と長方形状の底板を、天地を反転した枠体の逆Ｌ字形の切欠きに前記透明版、ゲ−ム盤面、中板及び底板を順に重ねて嵌めこみ、前記逆Ｌ字形に設けた切欠きの深さは底板の下面が枠体下面と面一となるように設けられていて、
・正四角形状に展開した枠体の下面隅部に、それぞれ脱着自在あるいは折りたたみ自在に取り付けた４本の脚部とからなるカロムゲ−ム盤。
【請求項４】
・中央部で二つ折りが可能なように蝶番で連結した正四角形の枠体と、
・この枠体の全周下面と内周面に連なって設けた断面が逆Ｌ字形の切欠きと、
・ポケット用切欠きをそれぞれの角部分に設けた長方形状の透明板及びゲ−ム盤面と、
・それぞれの角部に、ポケット用空間部を形成する略L字形のスペ−サとＬ字形のスペ−サを取り付けた底板と、
・天地を反転した枠体の逆Ｌ字形の切欠きに前記透明版、ゲーム盤面及び底板を順に嵌めこみ、前記略L字形の枠体の高さは底板の下面が枠体下面と面一となるように設けられていて、
・正四角形状に展開した枠体の下面隅部に、それぞれ脱着自在あるいは折りたたみ自在に取り付けた４本の脚部とからなるカロムゲ−ム盤。
【請求項５】
・正四角形の枠体と、
・枠体の全周下面と内周面に連なって設けた断面が逆Ｌ字形の切欠きと、
・ポケット用切欠きをそれぞれの角部分に設けた正方形状の透明板、この透明板と同形状のゲ−ム盤面及び中板と、正方形状の底板を、天地を反転した枠体の逆Ｌ字形の切欠きに前記透明版、ゲ−ム盤面、中板及び底板を順に重ねて嵌めこみ、前記逆Ｌ字形の切欠きの深さは底板の下面が枠体下面と面一となるように設けられていて、
・正四角形状の枠体の下面隅部に、それぞれ脱着自在あるいは折りたたみ自在に取り付けた４本の脚部とからなるカロムゲ−ム盤。
【請求項６】
・正四角形の枠体と、
・枠体の全周下面と内周面に連なって設けた断面が逆Ｌ字形の切欠きと、
・ポケット用切欠きをそれぞれの角部分に設けた正方形状の透明板及びこの透明板と同形状のゲ−ム盤面と、
・それぞれの角部に、ポケット用空間部を形成する略L字形のスペ−サとＬ字形のスペ−サを取り付けた底板と、
・天地を反転した枠体の逆Ｌ字形の切欠きに前記透明版、ゲーム盤面及び底板を順に嵌めこみ、前記底板に取り付けた略L字形の枠体の高さは、底板の下面が枠体下面と面一となるように設けられていて、
・正四角形状の枠体の下面隅部に、それぞれ脱着自在あるいは折りたたみ自在に取り付けた４本の脚部とからなるカロムゲ−ム盤。
【発明の詳細な説明】
【技術分野】
【０００１】
本発明は、盤上ゲ−ムの一種として知られるカロムゲ−ムのためのゲ−ム盤に関するものである。
【背景技術】
【０００２】
ビリヤ−ドとおはじき遊びを合体させたような盤上ゲ−ムは、カロム、キャロムその他の名称で世界的にも広く知られている。このゲームを実施するためのゲ−ム盤や基本ル−ルは概して類似するものの、国や地域によって相違点も多い。また同様のゲ−ム盤を使用しても異なったル−ル、独自のル−ルが採用される場合もある。
例えば、日本のある地方、すなわち滋賀県の湖東、湖北地方で広く遊び継がれているカロムに使用されるゲ−ム盤は、正四角形枠で囲まれた盤面の四隅に、パック（駒）落とし込み用のポケットが盤面とは段差をおいて設けられ、さらに盤面の中心には、中心駒を競技開始時に配置する位置を示した中心スポットが表示されている。この中心スポットの外側にはスポットと同心円的に各競技者の識別表示が施された２種類のパックを競技開始時に交互にリング状に配置するよう指示するセンターサ−クルが表示され、このセンターサ−クル外側には、攻撃のためのエリアラインが描かれ、その外側の盤面の各側辺に対応して各競技者の弾き駒を初回に発射する位置を指示するティースポットが表示されて構成される。
このカロムゲーム盤を使用した競技方法は、以下の非特許文献１に記載されるように２名又は２人でペアを組んだ２組の各競技者が、初回は各自の側のティースポット上に、次回以降は各自の側のエリアライン上に配置した自らの弾き駒を弾いて盤面上にある自他のパック及び中心駒に当て、何れかのポケットに自らのパックを順次落とし込むと共に中心駒を最後に入れることを競うものである。
【先行技術文献】
【非特許文献】
【０００３】
【非特許文献１】杉原正樹編著「カロムロ−ド」２００２年２月１５日  サンライズ出版発行
【発明の概要】
【発明が解決しようとする課題】
【０００４】
しかし、従来のカロムゲ−ム盤は、一辺が約６２ｃｍの正四角形状のゲ−ム盤面が、枠体に固定されていて簡単に取り外すことはできないものであった。このため持ち運びには寸法的に大きく、また素材にもよるが重量もかなりあり、競技者が競技のためにこのゲ−ム盤を運搬移動させるにはかなりの負担があった。さらにゲ−ム盤には通常、脚部はなく机やテーブルの上に載せて用いるため、競技者の姿勢にも制約が加わっていた。
本発明の目的は、前記の問題点に鑑み、ゲ−ム盤を中央で二つ折りを可能とし、寸法的にコンパクトにしてその持ち運びを容易にするとともに、ゲ−ム盤面の取り替えも自由にでき、さらに底板の角部に略Ｌ字形のスペーサを取り付けることで構造を簡素化して軽量化したものである。このため、コンパクトと軽量化によりゲ−ム盤の持ち運びが容易となり、加えて枠体下部の四隅に脚部を取り付けることでゲームをする競技者の姿勢制約への負担も軽減できる。
【課題を解決するための手段】
【０００５】
この発明のカロムゲ−ム盤の主たる構成の特徴は、正四角形状のゲ−ム盤面をその中央部で二つ折りを可能にして寸法的にコンパクトにすることにあるが、詳しくは中央部で二つ折りが可能なように蝶番で連結した正四角形の枠体と、この枠体の内周部分全体にわたって設けた溝部に、上から下にかけて順にはめ込むいずれも長方形状をした透明板、ゲ−ム盤面、中板及び底板と、前記の透明板、ゲ−ム盤面及び中板の枠体隅部に対応したそれぞれの角部に駒の直径よりも大寸法にポケット用切欠きを設け、前記透明板、ゲ−ム盤面、中板及び底板をはめ込んだ枠体を正四角形状に展開してゲームに用いることにある。
【０００６】
この発明はまた、二つ折りできないまでもゲ−ム盤を軽量化してその運搬を容易にしたことを特徴としたものである。
【発明の効果】
【０００７】
この発明のゲーム盤は、これまでのそれに比べて軽量化ができ、加えてコンパクト化も可能であり、その運搬移動時の持ち運びを楽にできる。さらに枠体の下面隅部に４本の脚部を取り付ければ、テ−ブルとしても使用が可能であるとともにゲームをする競技者の姿勢を、楽で正しいものにできる。
【図面の簡単な説明】
【０００８】
【図１】本発明の実施例１におけるカロムゲ−ム盤の平面図、
【図２】同ゲ−ム盤の要部を拡大した断面図、
【図３】実施例２におけるカロムゲ−ム盤を示し（A）は展開時の要部断面図、（B）は二つ折りしてたたんだ際の要部断面図、
【図４】実施例２で用いた底板を示し（A）はその部分平面図、（B）は略Ｌ字形のスペ−サの斜視図、
【図５】実施例３におけるカロムゲ−ム盤の要部断面図、
【図６】実施例４におけるカロムゲ−ム盤の要部断面図、
【図７】実施例４で用いた底板を示し（A）はその部分平面図、（B）は略L字形のスペ−サの斜視図、（C）はL字形のスペ−サの斜視図、
【図８】実施例５におけるカロムゲ−ム盤の要部断面図、
【図９】実施例６におけるカロムゲーム盤の要部断面図である。以下、この発明の詳細は、実施例により説明する。
【実施例】
【０００９】
（実施例１）  
図１は、本発明におけるカロムゲ−ム盤の平面図である。図中、Gはゲーム盤であり、これは中央部で前後に二つ折りが可能であり、展開すると外側一辺の長さが約６２ｃｍの正四角形の枠体１と、この枠体の内周中央部分全てにわたって設けられた溝部１aにはめ込まれた透明板２、ゲーム盤面３、中板１１及び底板１２からなる。
その具体的な構成は、図２に示すように上から下にかけて透明板２、ゲーム盤面３、中板１１、底板１２の順に溝部１aにはめ込まれている。枠体１は横幅約２ｃｍ、縦幅約７ｃｍであり、その内周中央部分には深さ約１ｃｍ、間口約４ｃｍの溝部１aが形成されていて、ここに幅約６０ｃｍ、奥行き約３０ｃｍの長方形の透明板２ほかが、４枚合計で厚み約４ｃｍに保たれてはめ込まれる。
【００１０】
透明板２は厚み約２ｍｍのアクリル板であり、その下側には厚み約１２ｍｍのベニア板からなるゲーム盤面３が位置していて、透明板２に重なる上面にはその中央に中心スポット４が描かれ、これを同心円的に取り囲むセンターサークル５と、四角形に描かれたエリアライン６およびエリアライン外側の四辺中央部にはティースポット７a、７bが描かれている。中板１１は厚み約２０ｍｍのパーチクルボードで構成されていて、底板１２は５ｍｍのベニア板で構成されている。ゲーム盤はその中央部分で前後に二つ折りが可能に設けられ、枠体１の突合せ部分には蝶板１０がそれぞれ取付けられて展開と折りたたみが簡単に行えるようになっている。
このゲーム盤を用いて先に記載したカロムゲームが、２名または２チームの間で競われる。
【００１１】
（実施例２）
図３に示す実施例はゲーム盤を軽量化した例である。すなわち、実施例１の.中板に替えて底板１２の角部に略Ｌ字形をしたスペ−サ１３ａをそれぞれ取り付けることで軽量化され、その持ち運びが容易になる、なお、（Ａ）の正四角形に展開した枠体の下面隅部に、それぞれ脱着自在あるいは折りたたみ自在に取り付けた４本の脚部１９が取付けられている。
（Ｂ）はゲーム盤をその中央部分で二つ折りしてたたんだ際の要部断面図である。
図４（Ａ）は、略Ｌ字形のスペーサ１３ａを角部に取付けた底板１２の部分平面図であり、（Ｂ）は略Ｌ字形のスペーサ１３ａを示している。
【００１２】
（実施例３）
図５は、ゲーム盤面ほかを枠体に嵌めやすくした例である。枠体にはその全周下面と内周面に連なって断面が逆Ｌ字形の切欠き１ｄが設けられている。そして枠体自体は前記同様、中央部で二つ折りが可能なように蝶番１０で連結されている。天地を反転した枠体の逆Ｌ字形の切り欠きに、透明板２、ゲ−ム盤面３、中板１１及び底板１２を重ねてはめ込む。Ｌ字形に設けた切り欠きの深さは、正立状態で最下位に位置する底板の下面が枠体下面と面一となるように設けられている。なお、底板１２は額の裏板と同様に複数の回転型止め具２１で枠体から外れないよう止められている。
この方法によれば、麻雀の業界で使用されている麻雀台の正四角形の取り外しができる枠体を二つ折り可能にした状態で流用し、カロム盤を容易に作ることができる。カロムゲーム盤は本来寸法的な規格はあるが、それより大きくてもまた小さくても別段ゲームに支障はない。
【００１３】
（実施例４）
図６に示す例は実施例３のゲーム盤を軽量化したものであり、その構造は実施例２と同様、中板を省略して略Ｌ字形のスペーサ１３ａとＬ字形のスペーサ１３ｂを用いたものである。その組み合わせ構造は、図７に示すように、二つのスペーサ１３ａ、１３ｂを外形形状が四角枠をなし、内側が駒落とし込みのポケット用空間１７を形成している。
【００１４】
（実施例５）
図８に示す例は、折りたたむことのない正四角形状のゲーム盤を示すものである。枠体１は前記の一辺約６２ｃｍの長さに形成され、この内側に正四角形の透明板、ゲーム盤面ほかが実施例３同様にはめ込まれている。
この方法によれば、麻雀の業界で使用されている麻雀台の正四角形の取り外しができる枠体をそのまま流用してカロム盤を容易に作ることができる。カロムゲーム盤は、本来寸法的な規格はあるが、それより大きくてもまた小さくても別段ゲームに支障はない。
【００１５】
（実施例６）
図９に示す例は実施例５のゲーム盤を軽量化したものである。その構造は前記同様折りたたむことのない正四角形状の枠体を用いて実施例４と同様なゲーム盤としたものである。この方法によれば、麻雀の業界で使用されている麻雀台の正四角形の取り外しができる枠体をそのまま流用してカロム盤を容易に作ることができる。カロムゲーム盤は、本来寸法的な規格はあるが、それより大きくてもまた小さくても別段ゲームに支障はない。
【符号の説明】
【００１６】
G  ゲーム盤
１  正四角形枠体
1a  枠体内周部分の溝
1b  枠体内周部分第１の溝
1c  枠体内周部分第２の溝
1d  枠体全周下面内周面の逆L字形の切り欠き
２  透明盤
３  ゲーム盤面
４  中心スポット
５  センターサークル
６  エリアライン
７ａ，７ｂ  ティースポット
８  中心駒
９  パック（駒）
１０  蝶番
１１  中板
１２  底板
１３a  略Ｌ字形をしたスペーサ
１３b  L字形をしたスペーサ
１４  透明板のポケット開口部
１５  盤面のポケット用切り欠き
１６  中板のポケット用切り欠き
１７  ポケット用空間
１８  空間部
１９  脚部
２０  二つ折りした中央部
２１  止め具
【図１】
2010240199.tif 000003
【図２】
2010240199.tif 000004
【図３】
2010240199.tif 000005
【図４】
2010240199.tif 000006
【図５】
2010240199.tif 000007
【図６】
2010240199.tif 000008
【図７】
2010240199.tif 000009
【図８】
2010240199.tif 000010
【図９】
2010240199.tif 000011
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
・中央部で二つ折りが可能なように蝶番で連結した正四角形の枠体と、
・枠体の内周部分に設けた溝部に上から下にかけて順にはめ込む、いずれも長方形状をし    た透明板、ゲ−ム盤面、中板及び底板と、
・  前記透明板、ゲ−ム盤面及び中板の枠体隅部に対応したそれぞれの角部に、駒の直径よりも大寸法に形成した駒落とし込み用のポケット用切欠きと、
・  前記透明板、ゲ−ム盤面、中板及び底板をはめ込んだ枠体を最上部の透明板が面一 となるように正四角形状に展開したカロムゲ−ム盤。
【請求項２】
・中央部で二つ折りが可能なように蝶番で連結した正四角形の枠体と、
・枠体の内周部分に設けた溝部に上から下にかけて順にはめ込む、いずれも長方形状をした透明板、ゲ−ム盤面及び底板と、
・  前記透明板、ゲ−ム盤面の枠体隅部に対応したそれぞれの角部に、駒の直径よりも大寸法に形成した駒落とし込み用のポケット用切欠きと、
・  長方形状の底板の角部に略Ｌ字形をした枠体をそれぞれ取り付け、この枠体により前記ゲーム盤面以下の部分にポケット用切欠きのための空間部を形成するとともに、ゲーム盤面と底板との間のスペースを確保し、
・  正四角形状に展開した枠体を最上部の透明板が面一となるように展開し、かつ枠体
の下部隅部に、それぞれ脱着自在あるいは折りたたみ自在に取り付けた４本の脚部とからなるカロムゲーム盤。
【請求項３】
・  中央部で二つ折りが可能なように蝶番で連結した正四角形の枠体と、
・  この枠体の全周下面と内周面に連なって設けた断面が逆Ｌ字形の切欠きと、
・  駒落とし込み用のポケット用切欠きをそれぞれの角部分に設けた長方形状の透明板、透明板と同形状のゲ−ム盤面、中板及びポケット用切欠きのない長方形状の底板を、天地を反転した枠体の逆Ｌ字形の切欠きに前記透明板、ゲ−ム盤面、中板及びポケット用切欠きのない底板を順に重ねて嵌めこみ、前記逆Ｌ字形に設けた切欠きの深さは、底板の下面が枠体下面と面一をなし、かつ最上部の透明板が面一に展開するように設けられていて、
・  正四角形状に展開した枠体の下面隅部に、それぞれ脱着自在あるいは折りたたみ自在に取り付けた４本の脚部とからなるカロムゲ−ム盤。
【請求項４】
・  中央部で二つ折りが可能なように蝶番で連結した正四角形の枠体と、
・  この枠体の全周下面と内周面に連なって設けた断面が逆Ｌ字形の切欠きと、
・  駒落とし込み用のポケット用切欠きをそれぞれの角部分に設けた長方形状の透明板及びゲーム盤面と、
・  それぞれの角部に、ポケット用空間部を形成する略L字形のスペーサとこれに対向するＬ字形のスペーサを取り付けた底板と、
・  天地を反転した枠体の逆Ｌ字形の切欠きに前記透明板、ゲーム盤面及び底板を順に嵌めこみ、前記略L字形の枠体の高さは底板の下面が枠体下面と面一となるように設けられていて、
・  正四角形状に展開した枠体の下面隅部に、それぞれ脱着自在あるいは折りたたみ自在に取り付けた４本の脚部とからなるカロムゲ−ム盤。
【請求項５】
・  正四角形の枠体と、
・  枠体の全周下面と内周面に連なって設けた断面が逆Ｌ字形の切欠きと、
・  駒落とし込み用のポケット用切欠きをそれぞれの角部分に設けた正方形状の透明板、この透明板と同形状のゲ−ム盤面と中板及びポケット用切欠きのない正方形状の底板を、天地を反転した枠体の逆Ｌ字形の切欠きに前記透明板、ゲ−ム盤面、中板及びポケット用切欠きのない底板の順に重ねて嵌めこみ、前記逆L字形の切欠きの深さは底板の下面が枠体下面と面一となるように設けられていて、
・  正四角形状の枠体の下面隅部に、それぞれ脱着自在あるいは折りたたみ自在に取り付けた４本の脚部とからなるカロムゲ−ム盤。
【請求項６】
・  正四角形の枠体と、
・  枠体の全周下面と内周面に連なって設けた断面が逆Ｌ字形の切欠きと、
・  駒落とし込み用のポケット用切欠きをそれぞれの角部分に設けた正方形状をした透明板及びこの透明板と同形状のゲ−ム盤面と、
・  それぞれの角部に、ポケット用空間部を形成する略L字形のスペーサとこれに対向するＬ字形のスペーサを取り付けた底板と、
・  天地を反転した枠体の逆Ｌ字形の切欠きに前記透明板、ゲーム盤面及び底板を順に嵌めこみ、前記底板に取り付けた略L字形の枠体の高さは、底板の下面が枠体下面と面一となるように設けられていて、
・  正四角形状の枠体の下面隅部に、それぞれ脱着自在あるいは折りたたみ自在に取り付けた４本の脚部を設けたカロムゲ−ム盤。
【手続補正２】
【補正対象書類名】明細書
【補正対象項目名】０００７
【補正方法】変更
【補正の内容】
【０００７】
この発明のゲーム盤は、これまでのそれに比べて軽量化ができ、加えてコンパクト化も可能であり、その運搬移動時の持ち運びを楽にできる。さらに枠体の下面隅部に４本の脚部を取り付ければ、テーブルとしても使用が可能であるとともにゲームをする競技者の姿勢を、楽で正しいものにできる。
透明板としてのアクリル板の特徴は、無色透明であることからゲーム盤面上に施した中心スポット、センターサークル、エリアライン、ティースポットを確実に透視できる状態で保護することと、中心駒及びパックを弾き駒で弾いてポケット用切欠きに落とし込む際のそれらの滑りを円滑にすることである。このアクリル透明板の角部に形成した駒落とし込み用のポケット用切り欠きは、図２に示したゲ−ム盤面に設けたポケット用切り欠きよりも小さく、かつパックの大きさよりも大きくすれば、カロムゲームの競技の難度を高めることもできる。またアクリル板に設けるポケット用切り欠きの形状を図１に示した銀杏形以外の形にしてもその大きさによって、同様にカロムゲームの競技難度を高められる。
【手続補正３】
【補正対象書類名】明細書
【補正対象項目名】００１０
【補正方法】変更
【補正の内容】
【００１０】
透明板２は厚み２ｍｍのアクリル板であり、その下側には厚み約１２mmのベニア板からなるゲーム盤面３が位置していて、透明板２に重なる上面にはその中央に中心スポット４が描かれ、これを同心円的に取り囲むセンターサークル５と、四角形に描かれたエリアライン６およびエリアライン外側の四辺中央部にはティースポット７ａ、７ｂが描かれている。中板１１は厚み約２０mmのパーチクルボードで構成されていて、底板１２は５mmのベニア板で構成されている。ゲーム盤はその中央部分で前後に二つ折りが可能に設けられ、枠体１の突合せ部分には蝶番１０がそれぞれ取り付けられて展開と折りたたみが簡単に行えるようになっている。
このゲーム盤を用いて先に記載したカロムゲームが、２名または２チームの間で競われる。
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
・中央部で二つ折りが可能なように蝶番で連結した正四角形の枠体と、
・  前記枠体の内周部分に設けた溝部に上から下にかけて順にはめ込む、いずれも長方形状をしたアクリル製の透明板、該透明板に重なる上面の中央に中心スポットが描かれ、これを同心円的に取り囲むセンターサークルと、四角形に描かれたエリアラインおよびエリアライン外側の四辺中央部にはティースポットが描かれているゲ−ム盤面、中板及び底板と、
・  前記透明板、前記ゲ−ム盤面及び前記中板の枠体隅部に対応したそれぞれの角部に、駒の直径よりも大寸法に形成した駒落とし込み用のポケット用切欠きと、
・  前記透明板、前記ゲ−ム盤面、前記中板及び前記底板をはめ込んだ前記枠体を最上部の前記透明板が面一となるように正四角形状に展開したカロムゲ−ム盤。
【請求項２】
・中央部で二つ折りが可能なように蝶番で連結した正四角形の枠体と、
・  前記枠体の内周部分に設けた溝部に上から下にかけて順にはめ込む、いずれも長方形状をしたアクリル製の透明板、該透明板に重なる上面の中央に中心スポットが描かれ、これを同心円的に取り囲むセンターサークルと、四角形に描かれたエリアラインおよびエリアライン外側の四辺中央部にはティースポットが描かれているゲ−ム盤面及び底板と、
・  前記透明板、前記ゲ−ム盤面の枠体隅部に対応したそれぞれの角部に、駒の直径よりも大寸法に形成した駒落とし込み用のポケット用切欠きと、
・  長方形状の前記底板の角部に略Ｌ字形をしたスペーサをそれぞれ取り付け、このスペーサにより前記ゲーム盤面以下の部分にポケット用切欠きのための空間部を形成するとともに、前記ゲーム盤面と前記底板との間のスペースを確保し、
・  正四角形状に展開した前記枠体を最上部の前記透明板が面一となるように展開し、かつ前記枠体の下部隅部に、それぞれ脱着自在あるいは折りたたみ自在に取り付けた４本の脚部とからなるカロムゲーム盤。
【請求項３】
・  中央部で二つ折りが可能なように蝶番で連結した正四角形の枠体と、
・  この枠体の全周下面と内周面に連なって設けた断面が逆Ｌ字形の切欠きと、
・  駒落とし込み用のポケット用切欠きをそれぞれの角部分に設けた長方形状のアクリル製の透明板、該透明板と同形状の該透明板に重なる上面の中央に中心スポットが描かれ、これを同心円的に取り囲むセンターサークルと、四角形に描かれたエリアラインおよびエリアライン外側の四辺中央部にはティースポットが描かれているゲ−ム盤面、中板及びポケット用切欠きのない長方形状の底板を、天地を反転した枠体の逆Ｌ字形の切欠きに前記透明板、前記ゲ−ム盤面、前記中板及びポケット用切欠きのない前記底板を順に重ねて嵌めこみ、前記逆Ｌ字形に設けた切欠きの深さは、前記底板の下面が前記枠体下面と面一をなし、かつ最上部の前記透明板が面一に展開するように設けられていて、
・  正四角形状に展開した前記枠体の下面隅部に、それぞれ脱着自在あるいは折りたたみ自在に取り付けた４本の脚部とからなるカロムゲ−ム盤。
【請求項４】
・  中央部で二つ折りが可能なように蝶番で連結した正四角形の枠体と、
・  この枠体の全周下面と内周面に連なって設けた断面が逆Ｌ字形の切欠きと、
・  駒落とし込み用のポケット用切欠きをそれぞれの角部分に設けた長方形状の透明板及び該透明板に重なる上面の中央に中心スポットが描かれ、これを同心円的に取り囲むセンターサークルと、四角形に描かれたエリアラインおよびエリアライン外側の四辺中央部にはティースポットが描かれているゲ−ム盤面と、
・  それぞれの角部に、ポケット用空間部を形成する略L字形のスペーサとこれに対向するＬ字形のスペーサを取り付けた底板と、
・  天地を反転した前記枠体の逆Ｌ字形の切欠きに前記透明板、前記ゲーム盤面及び前記底板を順に嵌めこみ、前記略L字形のスペーサの高さは前記底板の下面が前記枠体下面と面一となるように設けられていて、
・  正四角形状に展開した前記枠体の下面隅部に、それぞれ脱着自在あるいは折りたたみ自在に取り付けた４本の脚部とからなるカロムゲ−ム盤。
【請求項５】
・  正四角形の枠体と、
・  枠体の全周下面と内周面に連なって設けた断面が逆Ｌ字形の切欠きと、
・  駒落とし込み用のポケット用切欠きをそれぞれの角部分に設けた正方形状のアクリル製の透明板、この透明板と同形状の該透明板に重なる上面の中央に中心スポットが描かれ、これを同心円的に取り囲むセンターサークルと、四角形に描かれたエリアラインおよびエリアライン外側の四辺中央部にはティースポットが描かれているゲ−ム盤面と中板及びポケット用切欠きのない正方形状の底板を、天地を反転した前記枠体の逆Ｌ字形の切欠きに前記透明板、前記ゲ−ム盤面、前記中板及びポケット用切欠きのない前記底板の順に重ねて嵌めこみ、前記逆L字形の切欠きの深さは前記底板の下面が前記枠体下面と面一となるように設けられていて、
・  正四角形状の前記枠体の下面隅部に、それぞれ脱着自在あるいは折りたたみ自在に取り付けた４本の脚部とからなるカロムゲ−ム盤。
【請求項６】
・  正四角形の枠体と、
・  枠体の全周下面と内周面に連なって設けた断面が逆Ｌ字形の切欠きと、
・  駒落とし込み用のポケット用切欠きをそれぞれの角部分に設けた正方形状をした透明板及びこの透明板と同形状の該透明板に重なる上面の中央に中心スポットが描かれ、これを同心円的に取り囲むセンターサークルと、四角形に描かれたエリアラインおよびエリアライン外側の四辺中央部にはティースポットが描かれているゲ−ム盤面と、
・  それぞれの角部に、ポケット用空間部を形成する略L字形のスペーサとこれに対向するＬ字形のスペーサを取り付けた底板と、
・  天地を反転した前記枠体の逆Ｌ字形の切欠きに前記透明板、前記ゲーム盤面及び前記底板を順に嵌めこみ、前記底板に取り付けた前記略L字形のスペーサの高さは、前記底板の下面が前記枠体下面と面一となるように設けられていて、
・  正四角形状の前記枠体の下面隅部に、それぞれ脱着自在あるいは折りたたみ自在に取り付けた４本の脚部を設けたカロムゲ−ム盤。
【手続補正２】
【補正対象書類名】明細書
【補正対象項目名】０００７
【補正方法】変更
【補正の内容】
【０００７】
この発明のゲーム盤は、これまでのそれに比べて軽量化ができ、加えてコンパクト化も可能であり、その運搬移動時の持ち運びを楽にできる。さらに枠体の下面隅部に４本の脚部を取り付ければ、テーブルとしても使用が可能であるとともにゲームをする競技者の姿勢を、楽で正しいものにできる。